(57)【要約】【課題】藻類対策及び病原菌などの消毒性能を高め、副生成物の生成をなくし、かつ、紫外線ランプや保護管の異常時でも浄水処理された処理流体を出力することにある。【解決手段】被処理水が流入する容器20内に、個別に保護管26に収納した複数の紫外線ランプ25が配置され、容器内の被処理流体に対し、紫外線ランプから紫外線を照射する紫外線照射装置１と、保護管の割れを検知する保護管割れ検知器7と、紫外線照射装置の上流側と下流側とを結ぶバイパス管5と、紫外線照射装置の下流側に設けた消毒剤注入手段10，11と、常時は被処理流体が紫外線照射装置に流入するように制御し、保護管割れ検知手段の出力から保護管割れと判断したとき、バイパス管側に切替え、消毒剤注入手段に消毒剤の注入指示を送出し、被処理流体を浄水処理する消毒剤注入処理手段を有する浄水処理監視制御装置とを備えたことを特徴とする水処理システム。【選択図】図３
2007245081.tif 000002
【特許請求の範囲】
【請求項１】
被処理流体に紫外線を照射して浄水処理を行う水処理システムにおいて、
前記被処理流体が流入する容器内に、個別に保護管に収納された１本乃至複数本の紫外線ランプが配置され、前記容器内を流れる被処理流体に対し、前記紫外線ランプから紫外線を照射する紫外線照射装置と、
前記保護管の割れを検知する保護管割れ検知手段と、
前記紫外線照射装置の上流側と下流側とに配置される流路切替え弁を介して接続されたバイパス管と、
前記流路切替え弁の下流側、前記パイパス管及び前記流路切替え弁の上流側の何れか１つに塩素系消毒剤を注入するために設けられた消毒剤注入装置と、
常時は前記被処理流体が前記紫外線照射装置に流入するように流路切替え弁を制御し、前記保護管割れ検知手段の出力から保護管割れと判断したとき、前記流路切替え弁を前記バイパス管側に切替えるとともに、前記消毒剤注入装置に対して前記塩素系消毒剤の注入指示を送出し、前記被処理流体を浄水処理する消毒剤注入処理手段を有する浄水処理監視制御装置とを備えたことを特徴とする水処理システム。
【請求項２】
被処理流体に紫外線を照射して浄水処理を行う水処理システムにおいて、
前記被処理流体が流入する容器内に、個別に保護管に収納された１本乃至複数本の紫外線ランプが配置され、前記容器内を流れる被処理流体に対し、前記紫外線ランプから紫外線を照射する紫外線照射装置と、
前記容器内部の紫外線照度を測定する照度測定手段と、
前記紫外線照射装置の下流側に塩素系消毒剤を注入するために設けられた消毒剤注入装置と、
前記容器に流入する被処理流体の所定流量と前記照度測定手段で測定された照度とに基づいて紫外線照射量を決定する紫外線照射量決定手段と、この決定された紫外線照射量が消毒対象微生物の不活性化に十分なしきい値以下のとき、前記紫外線ランプの出力照射量の低下と判断するランプ出力低下判断手段と、前記出力照射量の低下と判断されたとき、前記紫外線照射量が前記照射量しきい値に達するように前記紫外線ランプの出力照射量を調整するランプ出力調整手段と、前記紫外線ランプの出力照射量の調整にも拘らず、紫外線照射量が前記照射量しきい値に達しないとき、前記消毒剤注入装置に対して前記塩素系消毒剤の注入指示を送出し、前記被処理流体を浄水処理する消毒剤注入処理手段を有する浄水処理監視制御装置とを備えたことを特徴とする水処理システム。
【請求項３】
被処理流体に紫外線を照射して浄水処理を行う水処理システムにおいて、
前記被処理流体が流入する容器内に、個別に保護管に収納された１本乃至複数本の紫外線ランプが配置され、前記容器内を流れる被処理流体に対し、前記紫外線ランプから紫外線を照射する紫外線照射装置と、
前記容器内部の紫外線照度を測定する照度測定手段と、
前記紫外線照射装置の下流側に塩素系消毒剤を注入するために設けられた消毒剤注入装置と、
前記容器に流入する被処理流体の所定流量と前記照度測定手段で測定された照度とに基づいて紫外線照射量を決定する紫外線照射量決定手段と、この決定された紫外線照射量が消毒対象微生物の不活性化に十分なしきい値以下のとき、前記消毒剤注入装置に対して前記塩素系消毒剤の注入指示を送出し、前記被処理流体を浄水処理する消毒剤注入処理手段を有する浄水処理監視制御装置とを備えたことを特徴とする水処理システム。
【請求項４】
請求項１ないし請求項３の何れか一項に記載の水処理システムにおいて、
前記紫外線照射装置に流入する被処理流体の流量を測定する流量測定手段と、
この流量測定手段で測定された流量と前記照度測定手段で測定された照度とに基づいて紫外線照射量を演算する、前記紫外線照射量決定手段に代わる紫外線照射量演算手段を有する浄水処理監視制御装置とを備えたことを特徴とする水処理システム。
【請求項５】
請求項１ないし請求項４の何れか一項に記載の水処理システムにおいて、
前記浄水処理監視制御装置は、前記各紫外線ランプの通電電流からランプの破損又は故障を検知する手段を設け、前記紫外線ランプが破損又は故障と検知した場合、前記消毒剤注入装置に対して前記塩素系消毒剤の注入指示を送出し、前記被処理流体を浄水処理する消毒剤注入処理手段を有する浄水処理監視制御装置とを備えたことを特徴とする水処理システム。
【請求項６】
請求項１ないし請求項４の何れか一項に記載の水処理システムにおいて、
前記消毒剤注入処理手段は、異常事象に応じて異なる前記塩素系消毒剤の注入量を伴う注入指示を前記消毒剤注入装置に送出することを特徴とする水処理システム。
【請求項７】
請求項１ないし請求項４の何れか一項に記載の水処理システムにおいて、
前記紫外線照射装置は、円筒状の容器内部に、容器軸と平行、かつ、個別に保護管に収納された１本ないし複数本の紫外線ランプが配置され、前記容器内の上部から下部方向へ旋回しながら下降する被処理流体に対して前記紫外線ランプから紫外線を照射することを特徴とする水処理システム。
【発明の詳細な説明】
【技術分野】
【０００１】
本発明は、被処理水に紫外線を照射して浄水処理を行う水処理システムに関する。
【背景技術】
【０００２】
従来、水道を代表とする水処理システムでは、衛生学的安全性の観点から、塩素殺菌処理を基盤として運用されてきている。しかし、近年、クリプトスポリジウム、ジアルジア等の新興あるいは再興の病原微生物による水道汚染事故が発生している。
【０００３】
また、水道水源である湖沼、ダム、河川においては、富栄養化や有機物汚濁の進行などが原因となって大量の藻類が発生し、それに伴って異臭味、着色障害、凝集、沈澱阻害、濾過閉塞、濾過水の漏出などの障害などが起きている。
【０００４】
さらに、殺菌のために注入される塩素剤が原水中の有機物と反応して、有害な副生成物（トリハロメタン等）を生成してしまう問題も起きている。
【０００５】
しかし、以上のような多くの問題に対し、従来の凝集、沈澱、濾過、塩素処理からなる基本的な浄化処理工程だけの水処理システムだけでは、十分に対応できない状況にある。
【０００６】
そこで、このような状況を踏まえ、従来の塩素処理の代替殺菌技術として、紫外線照射を利用した殺菌（以下、紫外線消毒と呼ぶ場合がある）技術が注目されている。紫外線消毒技術は、複雑な薬品注入管理が不要であり、また、有害な副生成物が生成しないという利点がある。
【０００７】
このため、浄水処理場等では、細菌や残留有機物の酸化を目的として紫外線照射処理を採用する場合がある。但し、紫外線の透過効率を考慮し、通常，濾過処理水あるいは凝集、沈澱処理水に対して、紫外線を照射する処理が行われている。
【０００８】
一方、凝集改善やクリプトスポリジウムなどの病原性原虫類の感染力消失等を目的とする場合、原水に対して紫外線を照射する処理が行われている。これは、塩素処理の代わりに紫外線を照射する処理である。
【０００９】
紫外線は、前述したように塩素とは異なり、トリハロメタン等の副生成物の生成がなく、クリプトスポリジウムの増殖能力にダメージを与えて感染力を消失させる効果が高いという特性を持っている。そのため、紫外線照射処理は当該紫外線の持つメリットを有効に生かして利用することができる。
【００１０】
さらに、浄水処理では、原水に含まれる藻類を繁殖させないことが重要であるが、紫外線照射処理の場合には藻類の繁殖を有効に防止できる効果が確認されている。
【００１１】
そこで、近年、紫外線照射を利用した浄水処理を行う技術が幾つか提案されている。
【００１２】
紫外線照射による浄水処理技術は、病原性微生物や原虫の消毒を目的とすることから、消毒に有効なＵＶ−Ｃ帯と呼ばれる２００ｎｍ〜３００ｎｍ波長領域の紫外線を出すランプ，つまり水銀蒸気を封入した低圧ないし中圧の水銀ランプが用いられている。
【００１３】
また、被処理流体に紫外線を照射する紫外線照射装置としては、被処理流体を流通させる機能をもった円筒容器と、当該円筒容器内に容器軸と平行に１本または複数本の紫外線ランプを配置した構成のものが知られている（例えば、非特許文献１参照）。
【００１４】
しかし、消毒対象となる病原性原虫、病原菌、バクテリア、ウィルス等を不活性化するためには、微生物種毎に必要な紫外線照射量が異なっており、また、被処理流体が紫外線照射装置に入ってから出て行くまでの僅かな時間内に均等に紫外線の照射を受けている必要がある。一方、紫外線の照射効率は、被処理流体の濁度や色度により変化する。紫外線照射処理の場合、特に原水の水質を制御することが難しいことから、適切な紫外線の照射効率に維持することは難しい問題がある。すなわち、紫外線強度（照度）は、紫外線ランプからの距離の２乗に逆比例して減少する。その結果、紫外線照射を効果的に作用させるためには、被処理流体が紫外線ランプ近傍を通過させる必要がある。
【００１５】
この点を解決する技術手段としては、被処理流体が容器内で旋回しながら紫外線ランプ近傍を通って流れるように、容器の被処理流体入口管と出口管との配置に工夫を講じたものがある（例えば、特許文献１参照または特許文献２参照）。
【００１６】
また、他の紫外線照射技術としては、原水の濁度を検出し、その検出濁度に応じて紫外線ランプを収容した流水管に流す原水の流量を制御することにより、原水が紫外線照射を適切に受けられるようにした技術が提案されている（例えば、特許文献３参照）。当該文献には、貯水池などの存在する水中プランクトンの消失処理時に紫外線照射を利用することが提案されている。
【００１７】
また、濁度計に代えて、微粒子計を設置し、この微粒子計の出力を用いて、紫外線照射量を制御する技術も提案されている（非特許文献２）。さらに、濁度計と微粒子計を併用し、これら計器から得られる出力を用いて、紫外線ランプの紫外線照射量を制御する紫外線照射システムも提案されている（例えば、特許文献４参照）。
【００１８】
なお、容器内に配置される紫外線ランプを保護する目的のもとに、当該紫外線ランプを収納した保護管を設けたものがある。保護管の材料は、効率的に紫外線を通過させる必要から、結晶石英や合成石英ガラスが使用されている。その結果、保護管や紫外線ランプに無理な力や突発的な衝撃が加わると、簡単に破損してしまう危険がある。特に、紫外線ランプが破損した場合、ランプ内に封入されている水銀が処理流体内に入り込む危険や保護管等を構成する石英ガラスの破片が処理流体内に混入してしまう問題がある。
【００１９】
従来、このような不都合な問題を解決する手段としては、紫外線ランプの破損を検出するセンサと、紫外線照射装置に代えて迂回させるバイパス管とを設け、センサによるランプ破損時に被処理流体の紫外線照射装置への流入及び処理流水の排出を遮断し、バルブ開によってバイパス管に流すことにより、水銀で汚染された処理水が他の浄水工程に流れ込まないようにした紫外線照射システムが提案されている（例えば、特許文献５参照）。
【特許文献１】特願２００５−３１９８２０号公報
【特許文献２】特願２００５−３４７０６９号公報
【特許文献３】特開平０５−１６９０５９号公報
【特許文献４】特開２００４−１８８２７３号公報
【特許文献５】特開２００４−１８８２７４号公報
【非特許文献１】“ULTRAVIOLET  DISINFECTION  GUIDANCE  MANUAL．”，United  States  Environmental  Protection  Agency，June  2003，Draft．
【非特許文献２】木村繁夫他「微粒子測定機器の基礎的性能評価に関する調査」水道協会雑誌、第７１巻、第１０号、３１〜５１頁、平成１４年１０月発行
【発明の開示】
【発明が解決しようとする課題】
【００２０】
しかしながら、前述した各特許文献等に記載される紫外線照射装置や紫外線照射処理方法では、次のような問題が指摘されている。
【００２１】
一般に、原水は、水源や気象等の変動により水質が大きく変化する。すなわち、藻類の大量発生や降雨等により、原水の濃度、微粒子数、有機物濃度が大きく変化し、これらの数値の上昇によって紫外線透過率が低下してしまう。紫外線の透過率が低下すると、紫外線照射の効果が下がり、それに伴って病原菌などの殺菌（消毒）処理効果が低下する。そこで、殺菌処理の低下を防ぐために、原水の濁度や微粒子数等の測定結果に基づき、紫外線照射量を調整することが考えられる。
【００２２】
しかし、紫外線ランプから出力する紫外線照射量の調整が難しく、場合によっては殺菌すべき紫外線か照射効率が落ちてしまう可能性がある。特に、小規模向けの紫外線照射装置では、紫外線の出力調整システムのイニシャルコストがかかるだけで、消費電力の削減効果が小さい。その結果、出力調整機能を備えることなく、病原微生物を十分に消毒可能な最大出力で運転することが多い。
【００２３】
また、紫外線透過率の低下が大きく、最大出力で運転しても十分な消毒性能が得られない場合や保護管が割れた場合には、水処理システムを停止しなければならず、給水できなくなる状態が発生するとともに、その異常状態を正確に把握できない問題がある。
【００２４】
さらに、一部の紫外線ランプの異常によって消灯した場合、消灯したランプ近傍を流れる流体に紫外線が十分に照射されず、そのまま下流の浄水工程に流れ出てしまう問題がある。
【００２５】
本発明は上記事情にかんがみてなされたもので、均一な紫外線照射によって藻類対策及び病原菌などの消毒性能を高め、副生成物の生成をなくし、かつ、紫外線ランプや保護管の異常時でも浄水処理された処理流体を出力する水処理システムを提供することを目的とする。
【課題を解決するための手段】
【００２６】
上記課題を解決するために、本発明に係る水処理システムは、被処理流体が流入する容器内に、個別に保護管に収納された１本乃至複数本の紫外線ランプが配置され、前記容器内を流れる被処理流体に対し、前記紫外線ランプから紫外線を照射する紫外線照射装置と、
前記保護管の割れを検知する保護管割れ検知手段と、前記紫外線照射装置の上流側と下流側とに配置される流路切替え弁を介して接続されたバイパス管と、前記流路切替え弁の下流側、前記パイパス管及び前記流路切替え弁の上流側の何れか１つに塩素系消毒剤を注入するために設けられた消毒剤注入装置と、
常時は前記被処理流体が前記紫外線照射装置に流入するように流路切替え弁を制御し、前記保護管割れ検知手段の出力から保護管割れと判断したとき、前記流路切替え弁を前記バイパス管側に切替えるとともに、前記消毒剤注入装置に対して前記塩素系消毒剤の注入指示を送出し、前記被処理流体を浄水処理する消毒剤注入処理手段を有する浄水処理監視制御装置とを備えた構成である。
【００２７】
また、本発明に係る水処理システムは、被処理流体が流入する容器内に、個別に保護管に収納された１本乃至複数本の紫外線ランプが配置され、前記容器内を流れる被処理流体に対し、前記紫外線ランプから紫外線を照射する紫外線照射装置と、前記容器内部の紫外線照度を測定する照度測定手段と、前記紫外線照射装置の下流側に塩素系消毒剤を注入するために設けられた消毒剤注入装置と、
前記容器に流入する被処理流体の所定流量と前記照度測定手段で測定された照度とに基づいて紫外線照射量を決定する紫外線照射量決定手段と、この決定された紫外線照射量が消毒対象微生物の不活性化に十分なしきい値以下のとき、前記紫外線ランプの出力照射量の低下と判断するランプ出力低下判断手段と、前記出力照射量の低下と判断されたとき、前記紫外線照射量が前記照射量しきい値に達するように前記紫外線ランプの出力照射量を調整するランプ出力調整手段と、前記紫外線ランプの出力照射量の調整にも拘らず、紫外線照射量が前記照射量しきい値に達しないとき、前記消毒剤注入装置に対して前記塩素系消毒剤の注入指示を送出し、前記被処理流体を浄水処理する消毒剤注入処理手段とを有する浄水処理監視制御装置とを備えた構成である。
【００２８】
さらに、本発明に係る水処理システムは、被処理流体が流入する容器内に、個別に保護管に収納された１本乃至複数本の紫外線ランプが配置され、前記容器内を流れる被処理流体に対し、前記紫外線ランプから紫外線を照射する紫外線照射装置と、前記容器内部の紫外線照度を測定する照度測定手段と、前記紫外線照射装置の下流側に塩素系消毒剤を注入するために設けられた消毒剤注入装置と、
前記容器に流入する被処理流体の所定流量と前記照度測定手段で測定された照度とに基づいて紫外線照射量を決定する紫外線照射量決定手段と、この決定された紫外線照射量が消毒対象微生物の不活性化に十分なしきい値以下のとき、前記消毒剤注入装置に対して前記塩素系消毒剤の注入指示を送出し、前記被処理流体を浄水処理する消毒剤注入処理手段を有する浄水処理監視制御装置とを備えた構成である。
【００２９】
さらに、本発明に係る水処理システムは、前述した各システム構成に何れか１つのシステム構成に新たに、前記紫外線照射装置に流入する被処理流体の流量を測定する流量測定手段と、この流量測定手段で測定された流量と前記照度測定手段で測定された照度とに基づいて紫外線照射量を演算する、前記紫外線照射量決定手段に代わる紫外線照射量演算手段を有する浄水処理監視制御装置とを備えた構成である。
【００３０】
なお、前記消毒剤注入処理手段としては、異常事象に応じて異なる塩素系消毒剤の注入量を伴う注入指示を前記消毒剤注入装置に送出するものである。
【発明の効果】
【００３１】
本発明によれば、均一な紫外線照射によって藻類対策及び病原菌などの消毒性能を高めることができ、また副生成物の生成をなくし、かつ、紫外線ランプや保護管の異常時でも浄水処理された処理流体を出力できる水処理システムを提供できる。
【発明を実施するための最良の形態】
【００３２】
以下、本発明の実施形態について図面を参照して説明する。  
図１は本発明に係る水処理システムの一実施の形態を示す構成図である。
【００３３】
水処理システムは、被処理水に紫外線を照射する紫外線照射装置1と、この紫外線照射装置１の被処理水入力ラインに設置された被処理水流量計２及び入口三方弁３と、紫外線照射装置１の処理水出力ラインに設置された出口三方弁４と、入口三方弁３と出口三方弁４との間に接続されたバイパス管５と、紫外線照度計６と、保護管割れ検知器７と、浄水処理監視制御装置８と、ランプ出力調整電源部９とにより構成される。
【００３４】
また、水処理システムには、出口三方弁４の下流側に接続された塩素系消毒浄水域１０と、浄水処理監視制御装置８からの注入指示信号に基づき、塩素系消毒浄水域１０内に塩素系消毒剤を注入する塩素系消毒剤注入装置１１と、この塩素系消毒剤注入装置１１と塩素系消毒浄水域１０とを接続する消毒剤注入管１２とが設けられている。なお、塩素系消毒剤注入装置１１及び塩素系消毒剤注入管１２は、バイパス管５に接続するとか、或いは入口三方弁３の上流側に接続しても構わないが、紫外線照射装置1によるランプ出力調整機能を有効に生かす観点から出口三方弁４の下流側に接続するのが好ましい。
【００３５】
紫外線照射装置１は、被処理水入力ラインから流入する被処理水に紫外線を照射することにより浄化した処理水を生成する仕組みを備えた装置であって、具体的には、紫外線が照射される胴部に相当する円筒形の照射部２０−１と、この照射部２０−１の上端部に連ねて膨らみを持たせた状態に形成され、上端開口部が金属製材料のカバーで閉塞された円筒形の流入部２０−２と、照射部２０−１の下端部に連なる逆円錐形の分離部２０−３とからなる照射容器２０と、被処理水入力ラインの流体出口側と接続される被処理水入口管２１と、前記流入部２０−２の上部からカバーを貫通して照射容器２０内部の中心軸ラインに挿入される処理水出口管２２と、分離部２０−２の下端部に取り付けられた汚染物質トラップ容器２３と、当該トラップ容器２３に取り付けられた汚染物質回収配管２４とが設けられている。
【００３６】
前記照射部２０−１としては、図２に示すように、容器軸と並行、かつ、円周方向に等間隔で複数本の紫外線ランプ２５（２５−１〜２５−６）が配列され、各紫外線ランプ２５の外周には当該ランプを収納し保護するための保護管２６が設けられている。
【００３７】
被処理水入口管２１は、流入部２０−２の一側壁面に取り付けられ、さらに詳しくは、照射容器２０を構成する流入部２０−２の円筒形容器断面部に対する接線方向に向けて取り付けられ、照射容器２０内の上部に流入する被処理水が初期旋回を生成する状態を作り出している。
【００３８】
処理水出口管２２は、前述したように照射容器２０の上部から容器中心軸に沿って照射容器２０内部に挿入されるが、その下端部は紫外線ランプ２５の下端部と同等又はそれよりも多少上方位置に設定される。
【００３９】
紫外線照度計６は、紫外線ランプ２５から照射される紫外線の届く場所であればどの位置に取り付けても構わないが、紫外線ランプ２５の上下方向の中央付近に相当する照射部２０−１の壁に取り付けるのが好ましい。また、紫外線照度計６は、１台でもよいが、全ての紫外線ランプ２５（２５−１〜２５−６）から照射される紫外線照射量を監視する必要から、複数台設置するのが好ましい。
【００４０】
因みに、本実施の形態においては、図２に示すように２本の紫外線ランプ２５から照射される紫外線照射量を主に監視する場合、例えば６本の紫外線ランプ２５−１〜２５−６に対し、隣接する対をなす２本の紫外線ランプ２５のほぼ中央位置に相当する照射部２０−１の円周壁面に等間隔で３台の紫外線照度計６−１〜６−３を取り付けるのが望ましい。つまり、紫外線照度計６−１は対をなす紫外線ランプ２５−１と２５−２とから照射される紫外線照射量を監視し、浄水処理監視制御装置８に送信する。同様に、紫外線照度計６−２は対をなす紫外線ランプ２５−３と２５−４、紫外線照度計６−３は対をなす紫外線ランプ２５−５と２５−６から照射される紫外線照射量をそれぞれ監視し、浄水処理監視制御装置８に送信する。なお、各紫外線ランプ２５−１〜２５−６はそれぞれ個別に保護管２６に収納され保護されている。
【００４１】
保護管割れ検知器７は、各保護管２６の破損を検知できるものであればどのような検知形式のものでもよい。各保護管２６が破損したとき、当該各保護管２６内へ被処理水が浸入してくるので、例えば電極による電位変化を検知する抵抗電極センサ、温度変化を検知する温度検知センサ、圧力変化を検知する圧力検知センサ、歪変化を検知する歪検知センサの何れかのセンサにより検知する。
【００４２】
また、保護管割れ検知器７は、各保護管２６の上下端部が液密状態に閉塞されている場合には各保護管２６内にそれぞれ個別に取り付けるが、例えば図示するように照射容器２０のカバーの下部に配置される断面凹状のスカート２７から上端開口した各保護管２６の上端が突出した状態で支持されている場合、スカート２７内の適宜な１個所に１つの保護管割れ検知器７を固定し、保護管割れを検知する構成であっても構わない。
【００４３】
ランプ出力調整電源部９は、浄水処理監視制御装置８から出力される個別ランプ指示を伴う出力増減信号に基づき、該当する紫外線ランプ２５の出力照射量を増減する機能を有し、また、各紫外線ランプ２５−１〜２５−６の通電電流を検出して浄水処理監視制御装置８に送出する機能を持っている。
【００４４】
前記浄水処理監視制御装置８は、例えば図３に示すように構成されている。  
すなわち、浄水処理監視制御装置８は、照射量しきい値、ランプ出力増減幅、照度−照射量テーブル用データ、異常事象ごとの消毒剤注入量データその他必要なデータを入力設定するキーボードやマウス等の入力手段８１と、所定の処理を実行するプログラムデータを格納するプログラムメモリ８２と、このプログラムに従って所定の処理を実行するＣＰＵで構成された監視制御処理部８３と、各紫外線照度計６−１〜６−３の検出照度を取り込む信号変換機能を持った入力インタフェース８４と、表示部８５と、データ記憶装置８６とが設けられている。
【００４５】
監視制御処理部８３は、機能的には、１個以上の保護管割れ検知器７の出力から保護管割れを判断する保護管割れ判断手段８Ａと、各紫外線照度計６−１〜６−３で測定された照度から紫外線照射量を決定する紫外線照射量決定手段８Ｂと、この決定された紫外線照射量と照射量しきい値とから該当紫外線ランプ例えば２５−１，２５−２の出力低下を判断するランプ出力低下判断手段８Ｃと、該当紫外線ランプ例えば２５−１，２５−２の出力照射量を上げたにも拘らず、紫外線照射量が照射量しきい値に達しないときに隣接する他の紫外線ランプ２５−３，２５−４、…の出力照射量を上げていくランプ出力調整手段８Ｄと、塩素系消毒剤注入処理手段８Ｅとが設けられている。
【００４６】
前記データ記憶装置８６は、照射量しきい値，ランプ出力増減幅、異常事象ごとの消毒剤注入量データその他必要な設定データを記憶するデータ設定記憶部８６ａ、各ランプ出力データを記憶するランプ出力記憶部８６ｂ、具体的には後記するが、図４に示すように所定の各流量毎に紫外線照度と紫外線照射量との関係を規定する照度−照射量テーブル８６ｃ及びその他のデータを記憶する他データ記憶部８６ｄが設けられている。
【００４７】
次に、以上のように構成された水処理システムの動作について説明する。  
被処理水は、図５に示すように入力ラインに設置される入口三方弁３を通って紫外線照射装置１を構成する流入部２０−２の円筒形容器断面に対する接線方向に向かって取り付けられる被処理水入口管２１に入り、当該被処理水入口管２１から照射容器２０の流入部２０−２に流入し、容器軸を中心に右回転方向に旋回しながら容器上部から容器下部方向に順次移っていく。
【００４８】
さらに、詳しくは、被処理水は、周方向に配列された例えば６本の紫外線ランプ２５−１〜２５−６をそれぞれ個別に収納した各保護管２６の外周近傍を通りながら時計方向に螺旋状に回転しながら下部方向に下降しながら流れていく。
【００４９】
ここで、被処理水は、各紫外線ランプ２５（２５−１〜２５−６）の近傍を通って流れる間、各紫外線ランプ２５から紫外線が照射され、その紫外線の照射量に応じて図６に示すように色度が変化する。図６に示す（イ）は紫外線照射量に伴って色度が変化する様子を表したものである。つまり、被処理水は、紫外線照射量を受けるに従い、青色−赤色−緑色−黄色に変化し、被処理水に含む消毒対象微生物が不活性化され、分離部２０-３まで移っていく。この分離部２０−３では、不活性化された後、汚泥物質と処理水とに分離され、汚泥物質が沈降しながら汚泥物質とラップ容器２３に落ちていき、一方、処理水は処理水出口管２２の下端部から入って上昇しながら出力ラインの出口三方弁４を通って常時は未消毒状態にある下流側の塩素系消毒浄水域１０を通って他の浄水工程（図示せず）に流出する。
【００５０】
ところで、消毒対象微生物を不活性化するには、下式で表す紫外線照射量Ｄoseが消毒対象微生物固有の照射量以上とする必要がある。例えばクリプトスポリジウムを不活性化するには、１０ｍJ（Jはジュール）／ｃｍ2以上の紫外線照射量で照射しなければならない。
【００５１】
紫外線照射量Ｄose＝I×ｔ（ｍJ／ｃｍ2）                  ……（１）  
上式において、I：紫外線照度（ｍＷ／ｃｍ2）、ｔ：照射時間（ｓ）であって、例えばｔ＝１秒〜３秒程度である。
【００５２】
本実施の形態では、図７に示すように被処理水が照射容器２０内を旋回しながら全ての紫外線ランプ２５の近傍を通って流れる過程において、全ての紫外線ランプ２５から紫外線の照射を受けるので、高い照射効率で消毒対象微生物を不活性化することができる。
【００５３】
浄水処理監視制御装置８としては、被処理水流量計２の測定流量と各紫外線照度計６の測定照度とを取り込み、下記演算式に基づいて演算すれば、紫外線照射量Ｄoseunitを算出することができる。  
紫外線照射量Ｄoseunit＝I×ｔ×ｆ（Flow）（ｍJ／ｃｍ2）    ……（２）  
この式において、I：紫外線照度（ｍＷ／ｃｍ2）、ｔ：照射時間（ｓ）、ｆ（Flow）：旋回流効率である。
【００５４】
なお、旋回流効率ｆ（Flow）は、被処理水の流量ｆlow（ｍ3／min）によって変化するが、被処理水の流量ｆlowを除けば、解析や実験によって紫外線照射装置１の固有の関数を決定できる。
【００５５】
従って、紫外線照射量Ｄoseunitとしては、被処理水の流量と紫外線照度計６の測定照度とによって決定できる。通常、入力ラインを流れる流量は、流速、入力ライン管径や紫外線照射装置２ａ，２ｂの処理能力等に依存することから、予めほぼ一定の流量とすることができる。
【００５６】
そのため、所定の流量ごとに紫外線照度と紫外線照射量との間には、実験の積み重ね等により図８示すような関係が成立する。よって、図８示すような関係を踏まえ、データ記憶装置８６内に照度−紫外線照射量テーブル８６ｃを作成し保存されている。
【００５７】
そこで、浄水処理監視制御装置８においては、プログラムメモリ８２に格納されるプログラムに従い、かつ、照度−紫外線照射量テーブル８６ｃを用いて、図９に示すような一連の処理を実行するが、この処理例としては幾つかの実施の形態が存在する。
【００５８】
（第１の実施の形態）
先ず、浄水処理監視制御装置８を構成する監視制御処理部８３は、保護管割れ判断手段８Ａを実行する。保護管割れ判断手段８Ａは、所定の周期ごとに１個又は複数個の保護管割れ検知器７の出力から保護管割れの有無を判断する（Ｓ１，Ｓ２）。なお、保護管割れ有無の判断タイミングは特に限定するものでなく、一連の処理の中の適宜なタイミング，例えば後記するステップＳ１０とＳ１１との間、ステップＳ１０とＳ１４との間であっても構わない。また、例えば保護管割れ検知器７の出力が所定レベルになったときに自動的に割り込みが入り、保護管割れの有無を判断してもよい（Ｓ２）。
【００５９】
ところで、監視制御処理部８３は、ステップＳ２にて保護管割れ有りと判断されたとき、塩素系消毒注入処理手段８Ｅを実行する。塩素系消毒注入処理手段８Ｅは、保護管割れ有り判断されたときには三方弁３，４に切替え信号を送出し、紫外線照射装置１側からバイパス管５側に流路を切替えた後（Ｓ３）、消毒剤注入指示信号を塩素系消毒剤注入装置１１に送出し、予め定める単位時間毎に所望の塩素系消毒剤注入量を塩素系消毒剤注入管１２を介して塩素系消毒浄水域１０に注入するとともに（Ｓ４）、監視室などに警報を発する（Ｓ５）。
【００６０】
すなわち、監視制御処理部８３は、保護管割れが発生したとき、水処理システムを停止することなく、被処理水をバイパス管５から塩素系消毒浄水域１０に導き、当該塩素系消毒浄水域１０にて塩素系消毒剤を注入し、従来の水処理に相当する浄化処理を行い、各需要家に対して給水の継続を確保する。
【００６１】
監視制御処理部８３は、ステップＳ２において、保護管割れ無しと判断された場合、紫外線照射量決定手段８Ｂを実行する。この紫外線照射量決定手段８Ｂは、図示しないカウンタにＹ＝１（紫外線照度計６−１に相当する）及びＺ−１（ランプ２５−１又は対をなすランプ２５−１，２５−２に相当する）を設定した後（Ｓ６，Ｓ７）、紫外線照度計６−１で測定された照度を取り込み（Ｓ８）、予め定められている所定の流量にもとづき、図４に示す照度−紫外線照射量テーブル８６ｃから紫外線照射量を決定する（Ｓ９）。なお、同時に全部の紫外線照度計６−１〜６−３で測定した照度を取り込んでも構わない。
【００６２】
なお、紫外線照射量には、被処理水の紫外線透過率が変化したとき、各紫外線照度計６−１〜６−３の測定照度が変化するので、被処理水の紫外線透過率の変化が容易に反映させることができる。また、ランプの劣化やランプの故障による紫外線出力照射量の低下や保護管２６表面の汚れや傷等によっても同様に紫外線出力照射量が低下する。よって、これら出力照射量の低下に伴って測定照度が低下するので、同様に紫外線照射量に反映させることができる。
【００６３】
監視制御処理部８３は、ステップＳ９によって紫外線照射量を決定すると、ランプ出力低下判断手段８Ｃを実行する。ランプ出力低下判断手段８Ｃは、決定された紫外線照射量とデータ設定記憶部８６ａに設定された照射量しきい値とを比較し、紫外線照射量が照射量しきい値よりも大きいか否かを判断する（Ｓ１０）。なお、照射量しきい値は、消毒対象微生物を不発生化するのに十分な値に相当する。
【００６４】
ここで、決定された紫外線照射量が照射量しきい値よりも大きい場合には消毒対象微生物を十分に不発生化する能力を持っているので、続いて、全ての紫外線照度計６−２，６−３の測定照度について照射量しきい値とを比較したか判断し（Ｓ１１）、未だ判断していない場合にはＹ＝１に＋１をインクリメントし（Ｓ１２）、ステップＳ７に戻って同様の処理を繰り返し実行する。全ての紫外線照度計６−１〜６−３の測定照度に基づいて決定された紫外線照射量が照射量しきい値よりも大きい場合、処理継続を条件とし（Ｓ１３）、ステップＳ１に移行し、処理を継続する。
【００６５】
一方、監視制御処理部８３は、ステップＳ１０において、決定された紫外線照射量が照射量しきい値よりも小さいとき、保護管２６の汚れなどを含むランプ出力低下と判断するが、ステップＳ１４に移行し、ランプ出力を増加させるか否かを判断する。ここで、ランプ出力を増加させると判断された場合、ランプ出力調整手段８Ｄを実行する。
【００６６】
ランプ出力調整手段８Ｄは、紫外線照度計６−１による測定照度から紫外線ランプ２５−１と２５−２の出力照射量が低下していると判断されたとき、データ設定記憶部８６ａに設定される所定の出力増減幅に基づき、該当ランプの出力増加指令信号をランプ出力調整電源部９に送出する（Ｓ１５）。なお、各紫外線ランプに対する出力増減幅に基づく値はランプ出力値記憶部８６ｂに予め記憶されている。ここで、ランプ出力調整電源部９は、該当ランプの出力増加指令信号を受けると、該当する紫外線ランプ２５−１，２５−２の出力照射量を出力増幅分だけ上げる調整を行う。
【００６７】
ランプ出力調整手段８Ｄは、ランプ出力増加指令信号の出力後、該当紫外線ランプ２５−１，２５−２の出力照射量が出力上限値に達したかを判断し（Ｓ１６）、未だ予め定める出力上限値に達していない場合にはステップＳ８に戻り、紫外線ランプ２５−１，２５−２のランプ出力増加後の照度を取り込み、同様の処理を繰り返す。
【００６８】
また、紫外線ランプ２５−１，２５−２のランプ調整出力が出力上限値に達した場合、隣接する他の例えば紫外線ランプ２５−３，２５−４の出力増加（Ｓ１７）及び全ランプ調整未完了に基づき（Ｓ１８）、カウンタにＺ＝１に＋１をインクリメントし（Ｓ１９）、隣接する例えば紫外線ランプ２５−３，２５−４に対する所定の出力増幅に基づき、該当ランプ２５−３，２５−４の出力増加指令信号をランプ出力調整電源部９に送出し（Ｓ１５）、同様の処理を繰り返し実行する。
【００６９】
以上のようにして隣接するランプの出力照射量を上げる。それでも紫外線照射量Ｄoseunitが消毒対象微生物を不活性化するのに十分な照射量にならない場合、全ての紫外線ランプ２５−１〜２５−６のランプ出力照射量を上げていくが、それでも十分な照射量に達しない場合、塩素系消毒剤注入処理手段８Ｅを実行する。
【００７０】
塩素系消毒剤注入処理手段８Ｅは、前述した保護管割れ有りの場合と異なり、三方弁３，４を切替えることなく、消毒剤注入量を伴う注入指示信号を塩素系消毒剤注入装置１１に送出し、予め定める単位時間毎に所望の塩素系消毒剤量を塩素系消毒剤注入管１２を介して塩素系消毒浄水域１０に注入するとともに（Ｓ２０）、監視室などに警報を発する（Ｓ２１）。
【００７１】
また、監視制御処理部８３は、ステップＳ１４においてランプ出力低下と判断してもランプ出力を増加させる処理を実施しない場合、また、ステップＳ２２において他ランプの出力増加を行わない場合、前述したようにステップＳ２０，Ｓ２１による塩素系消毒剤注入処理手段８Ｅを実行する。
【００７２】
なお、Ｓ２２において、塩素系消毒剤注入処理手段８Ｅを実行しない場合にはステップＳ１２に移行し、処理次の紫外線照度計例えば６−２について前述する一連の処理を実行する。
【００７３】
従って、以上のような実施の形態によれば、被処理水は周方向に配列された例えば６本の紫外線ランプ２５−１〜２５−６を個別に収納した各保護管２６，…の外周近傍を時計方向、かつ、容器上部から下部方向に螺旋状に回りつつ無駄なく流通させるとともに、その間紫外線ランプ２５−１〜２５−６から紫外線の照射を受けるので、被処理水に対して効率よく紫外線を照射できる。
【００７４】
また、一部の紫外線ランプ例えば２５−１の劣化によって出力照射量が低下した場合、対応する紫外線照度計６−１の測定照度が低下し、紫外線照射量が低下する。よって、紫外線ランプ２５−１の出力照射量が低下した場合、徐々に紫外線ランプ２５−１，２５−２の出力照射量を上げるだけでなく、最大照射出力を出しても所定の照射量しきい値に達しない場合には隣接する他の紫外線ランプ２５−３，２５−４等の出力照射量を上げていくので、消毒対象微生物を不活性化するに十分な紫外線照射量を確保できる。
【００７５】
一部の紫外線ランプ例えば２５−１が破損ないし故障した場合、ランプ出力調整電源部９が通電電流から検出し、浄水処理監視制御装置８に送信し、塩素系消毒剤注入処理手段８Ｅを実行し、同様に監視室などに警報を発する。
【００７６】
さらに、保護管割れが発生したとき、水処理システムを停止することなく、被処理水をバイパス管５から塩素系消毒浄水域１０に導くとともに、当該塩素系消毒浄水域１０に塩素系消毒剤を注入し、従来の水処理に相当する浄化処理を行うので、給水処理を継続させることができる。
【００７７】
さらに、ランプ出力が低下したとき、各ランプ２５−１〜２５−６の出力を増加させても紫外線照射量がしきい値を超えない場合やランプ出力の増加制御を実行しない場合でも、前述同様に塩素系消毒剤注入処理手段８Ｅを実行するので、例えば一部の紫外線ランプ例えば２５−１又は全ての紫外線ランプ２５−１〜２５−６の出力を上げても消毒対象微生物を不活性化するに十分な紫外線照射量に達しない場合、確実に浄水して排出することができる。
【００７８】
さらに、紫外線照度計６−１〜６−３の測定照度から紫外線照射量を決定し、照射量しきい値よりも小さいとき、対応する紫外線ランプを個別又は対ごとに出力照射量を調整できるので、個別又は対ごとの紫外線ランプの出力照射量を最適な状態にすることができる。
【００７９】
さらに、照射容器２０の照射部２０−１の壁に１台の紫外線照度計６を取り付けた場合、処理水出口管２２の影になる領域が生じ、当該紫外線照度計６の設置場所と反対側の紫外線ランプが何らかの原因で出力照射量が低下しても、それを検出することができない。しかし、複数の紫外線ランプに対し、隣接する２つの紫外線ランプの中央部分にそれぞれ紫外線照度計６を配置すれば、全ての紫外線ランプ２５−１〜２５−６の異常を検出できるとともに、出力照射量を最適な状態に制御できる。なお、紫外線ランプ２５−１〜２５−６ごとに紫外線照度計６を設けることも可能であるが、コスト高、水質悪化による紫外線透過度低下の検出が難しく、確実に処理対象微生物を不活性化できなく恐れがあるが、本実施の形態のように対の紫外線ランプごとに紫外線照度計６を設けることにより、かかる不都合な問題を解決することができる。
【００８０】
（実施の形態２）  
浄水処理監視制御装置８としては、照度―紫外線照射量テーブル８６ｃを用いて、紫外線照射量を決定したが、例えば照度―紫外線照射量テーブル８６ｃに代えて、図１０に示すようにデータ記憶装置８６のデータ設定記憶部８６ａに前述する（２）式の演算式データを設定し、また監視制御処理部８３としては、紫外線照射量決定手段８Ｂに代えて、紫外線照射量演算手段８Ｆを設ける構成であってもよい。
【００８１】
浄水処理監視制御装置８の紫外線照射量演算手段８Ｆは、図９に示すステップＳ８にて流量計２の測定流量と紫外線照度計６の測定照度とを取り込んだ後、データ設定記憶部８６ａに設定される演算式に基づき、ステップ４にて紫外線照射量を演算する。その他の構成及び処理手順は図３及び図９と同様であるので、ここではその説明を省略する。
【００８２】
この実施の形態においても、前述した実施の形態と同様の効果を奏することができる。
【００８３】
（実施の形態３）  
（ランプの破損または故障について）  
浄水処理監視制御装置８は、ランプ出力調整電源部９を介して各紫外線ランプ２５−１〜２５−６の通電電流を検出している。よって、通電電流断のときには少なくとも一部の紫外線ランプが破損又は故障であると判断できるので、前述したように隣接する紫外線ランプの出力照射量を増加させ、又は出力照射量の増加処理を行わずに塩素系消毒剤を注入する処理を実施しつつ、紫外線ランプの交換を促す警報を発するとか、表示部８５に破損又は故障となった紫外線ランプの交換メッセージを表示すれば、速やかに該当する紫外線ランプを交換できる。なお、紫外線ランプの交換に当たっては、照射容器２０の上部蓋体を開け、スカート２７内から紫外線ランプ上部を把持して引き抜けば、容易に取り出し、新しい紫外線ランプに交換できる。
【００８４】
従って、このような実施の形態によれば、突発的な衝撃によって各紫外線ランプ２５や保護管２６が割れた場合、各紫外線ランプ２５や各保護管２６を構成する石英ガラス片や各紫外線ランプ２５内に内封された水銀が漏洩する。このような場合、被処理水の螺旋状回流による遠心分離作用と重力作用とにより、石英ガラス片や水銀等の汚染物質は確実に汚染物質トラップ容器２３に降下していくので、汚染物質が処理水に混入した状態で流出することはない。
【００８５】
（その他の実施の形態）  
（１）  予め最大流量時の旋回流効率ｆ（Ｆｌｏｗ）を考慮し、消毒対象微生物を十分に不活性化できる紫外線照射量Ｄoseの照度を決定し、この決定された照度となるように紫外線ランプ（２５−１，２５−２）、（２５−３，２５−４）、（２５−５，２５−６）の出力照射量を調整し、被処理水に対する浄化処理を行う構成であってもよい。
【００８６】
（２）  また、各紫外線照度計６の測定照度から得られる紫外線照射量が照射量しきい値と等しいかまたは小さいとき、少なくとも対応する紫外線ランプ２５の出力照射量を増加させるようにしたが、例えば紫外線ランプ１５の出力照射量を調整せずに、所定の出力照射量で紫外線ランプ２５を点灯する。
【００８７】
そして、浄水処理監視制御装置８は、紫外線照度計６の測定照度と流量計２の測定流量とから前記（２）式の演算式に基づいて求めた紫外線照射量Ｄoseunitが消毒対象微生物を十分に不活性化できる紫外線照射量に達しない場合、塩素系消毒剤注入処理手段８Ｅを実行し、塩素系消毒剤によって浄水処理を行うとともに、警報を発するようにしても構わない。
【００８８】
（３）  前記（２）と同様に、各紫外線ランプ２５の出力照射量を調整せずに、所定の出力照射量で紫外線ランプ２５を点灯し、また入力ラインに流量計２を設置しない構成とする。
【００８９】
浄水処理監視制御装置８は、以上のような状態において、紫外線照射装置１の設計した能力等から定まる最大流量と紫外線照度計６の検出照度とから、前記（２）式の演算式に基づいて求めた紫外線照射量Ｄoseunitが消毒対象微生物を十分に不活性化できる紫外線照射量に達しない場合、直ちに警報を発するような構成であっても構わない。
【００９０】
（４）  また、監視制御処理部８３は、ステップＳ１０において、決定された紫外線照射量が照射量しきい値よりも大きいとき、消毒対象微生物を十分に不活化する能力以上の過剰の照射量を照射していると判断し、該当するランプの出力を下げても構わない。ここで、ランプ出力を低下させると判断された場合、ランプ出力調整手段８Ｄを実行し、該当するランプの出力を下げる。その場合、塩素系消毒剤注入処理手段８Ｅで、塩素系消毒剤注入中の場合は、塩素系消毒剤の注入量を減らすか停止する。その他の構成は、紫外線照射量が照射量しきい値よりも小さい時、ランプ出力を上げる構成とは違いはなく、ランプ出力を上げるのではなく、下げる作用を実施する。
【００９１】
その他、本発明は、上記実施の形態に限定されるものでなく、その要旨を逸脱しない範囲で種々変形して実施できる。また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００９２】
【図１】本発明に係る水処理システムの一実施の形態を示す構成図。
【図２】紫外線ランプと紫外線照度計との配置関係を示す図。
【図３】浄水処理監視制御装置の一具体例を示す構成図。
【図４】各流量における紫外線照度データと紫外線照射量データとの関係を規定したテーブル図。
【図５】被処理水を照射容器内で旋回流させた様子を説明する図。
【図６】被処理水が紫外線の照射を受けるに従って色度が変化する状態を表す図。
【図７】従来と本発明における流量に対する紫外線照射量の照射効率を説明する図。
【図８】各所定の流量に対する紫外線照度と紫外線照射量との関係特性図。
【図９】浄水処理監視制御装置における一連の処理例を説明するフローチャート。
【図１０】浄水処理監視制御装置の他の具体例を示す構成図。
【符号の説明】
【００９３】
１…紫外線照射装置、２…流量計、３…入口三方弁、４…出口三方弁、５…バイパス管、６（６−１〜６−３）…紫外線照度計、７…保護管割れ検知器、８…浄水処理監視制御装置、８Ａ…保護管割れ判断手段、８Ｂ…紫外線照射量決定手段、８Ｃ…ランプ出力低下判断手段、８Ｄ…ランプ出力調整手段、８Ｅ…塩素系消毒剤注入処理手段、８Ｆ…紫外線照射量演算手段、９…ランプ出力調整電源部、１０…塩素系消毒浄水域、１１…塩素系消毒剤注入装置、１２…塩素系消毒剤注入管、２０…照射容器、２０−１…照射部、２０−２…流入部、２０−３…分離部、２１…被処理水入口管，２２…処理水出口管、２３…汚染物質トラップ容器、２４…汚染物質回収配管、２５（２５−１〜２５−６）…紫外線ランプ、２６…保護管、８２…プログラムメモリ、８３…監視制御処理部、８６…データ記憶装置。
【図１】
2007245081.tif 000003
【図２】
2007245081.tif 000004
【図３】
2007245081.tif 000005
【図４】
2007245081.tif 000006
【図５】
2007245081.tif 000007
【図６】
2007245081.tif 000008
【図７】
2007245081.tif 000009
【図８】
2007245081.tif 000010
【図９】
2007245081.tif 000011
【図１０】
2007245081.tif 000012